(57)【要約】【課題】  設備に巻き上がるつる性植物の成長具合を調節することで、設備の状況の見回りおよびつる性植物の伐採の計画が立てやすくなり、よって、見回りの回数を減少させるとともに伐採作業を計画的かつ効率的に行う。【解決手段】  設備の近傍に設置される支柱と、前記支柱に支持され、つる性植物が前記設備に巻き付かないように、前記つる性植物を前記支柱の方へ誘導するための指向性を持つ光を、前記つる性植物または前記つる性植物の近傍に照射する光源と、を備える。【選択図】  図１
2014225977.tif 000002
【特許請求の範囲】
【請求項１】
設備の近傍に設置される支柱と、
前記支柱に支持され、つる性植物が前記設備に巻き付かないように、前記つる性植物を前記支柱の方へ誘導するための指向性を持つ光を、前記つる性植物または前記つる性植物の近傍に照射する光源と、
を備えることを特徴とするつる性植物の誘導装置。
【請求項２】
前記光源は、前記光の照射方向および照射範囲の少なくとも一方を調節する反射部材を有することを特徴とする請求項１に記載のつる性植物の誘導装置。
【請求項３】
前記支柱は、長手方向に伸縮する機構を有することを特徴とする請求項１または２に記載のつる性植物の誘導装置。
【請求項４】
前記つる性植物を巻き付けるように前記支柱から遠ざかる方向に延びる誘導部材を更に備えることを特徴とする請求項１ないし３の何れかに記載のつる性植物の誘導装置。
【請求項５】
前記誘導部材は、前記誘導部材が延びる前記方向に伸縮する機構を有することを特徴とする請求項１ないし４の何れかに記載のつる性植物の誘導装置。
【請求項６】
前記光源は、前記支柱の上端または上端の近傍に支持されていることを特徴とする請求項１ないし５の何れかに記載のつる性植物の誘導装置。
【請求項７】
太陽光発電装置と、
前記太陽光発電装置によって発電された電気エネルギーを蓄えるとともに前記電気エネルギーを前記光源に供給する蓄電池と
を更に備えることを特徴とする、請求項１ないし６の何れかに記載のつる性植物の誘導装置。
【請求項８】
前記蓄電池によって蓄えられている前記電気エネルギーを前記光源に供給するか供給しないかを周囲の明るさまたは時刻に応じて切り替える切替装置を更に備えることを特徴とする請求項７に記載のつる性植物の誘導装置。
【発明の詳細な説明】
【技術分野】
【０００１】
本発明は、つる性植物の誘導装置に関する。
【背景技術】
【０００２】
例えば、電柱の支線等の設備にかずら等のつる性植物が巻き上がらないように支線等に取り付けられる、円筒状または円盤状のつる性植物の巻き上がり防止装置が知られている（例えば特許文献１および２）。
【先行技術文献】
【特許文献】
【０００３】
【特許文献１】特開平９−１１９２３４号公報
【特許文献２】特開２００３−３１４０８４号公報
【発明の概要】
【発明が解決しようとする課題】
【０００４】
一般に、特許文献１および２の巻き上がり防止装置を含め、つる性植物の巻き上がり防止装置によっては、つる性植物がその装置の装着位置を超えて支線等を巻き上がることを完全に防止することはできない。そのため、つる性植物の巻き上がり防止装置が設備に装着されていてもなお、その設備の状況を見回って、地絡事故が発生するおそれや設備に対する作業（例えば架線作業）に支障が生ずるおそれのある場合等には、つる性植物を伐採する必要がある。
【０００５】
ここで、つる性植物は初夏から秋にかけてよく成長するため、上述した設備の見回りおよび伐採作業はこの時期に集中する。このような見回りおよび伐採作業の時期的な集中は、つる性植物の伐採時期の分散や計画的な伐採を困難にし、引いては効率的な見回りおよび伐採を妨げる。
【課題を解決するための手段】
【０００６】
前述した課題を解決する主たる本発明は、設備の近傍に設置される支柱と、前記支柱に支持され、つる性植物が前記設備に巻き付かないように、前記つる性植物を前記支柱の方へ誘導するための指向性を持つ光を、前記つる性植物または前記つる性植物の近傍に向かって照射する光源と、を備える。  
本発明の他の特徴については、添付図面及び本明細書の記載により明らかとなる。
【発明の効果】
【０００７】
本発明によれば、光源から照射される光によってつる性植物は本装置の方に誘導され、支線等の設備に巻き上がるつる性植物は減少する。また、支線等の設備と本装置の設置位置によって、本装置の方に誘導されるつる性植物の多さ、つまり、設備に巻き上がるつる性植物の成長具合を調節することができる。従って、設備の状況の見回りおよびつる性植物の伐採の計画が立てやすくなり、よって、見回りの回数を減少させるとともに伐採作業を計画的かつ効率的に行うことが可能となる。
【図面の簡単な説明】
【０００８】
【図１】本発明の第１実施形態におけるつる性植物の誘導装置を示す図である。
【図２】本発明の第１実施形態におけるつる性植物の誘導装置の光源からの光の照射方向および照射範囲の説明図である。
【図３】本発明の第２実施形態におけるつる性植物の誘導装置を示す図である。
【図４】本発明の第２実施形態における誘導部材の一例を示す図である。
【図５】本発明の第２実施形態における誘導部材の他の一例を示す図である。
【図６】本発明の第２実施形態における誘導部材の別の一例を示す図である。
【図７】本発明の第１および第２実施形態における支柱の伸縮機構の一例を示す図である。
【図８】本発明の第１および第２実施形態における光源および反射部材の一例を示す図である。
【発明を実施するための形態】
【０００９】
本明細書および添付図面の記載により、少なくとも以下の事項が明らかとなる。
【００１０】
[第１実施形態]
以下、図１、図２、図７および図８を参照して、第１実施形態におけるつる性植物の誘導装置について説明する。なお、ここでは、１本の電柱に取り付けられた１本の支線の近傍に本誘導装置が設置される場合について説明する。
【００１１】
＝＝＝構成＝＝＝  
図１（ａ）および（ｂ）は、おのおの本実施形態におけるつる性植物の誘導装置を示す側面図および平面図であって、光源および反射部材は模式的に記載されている。なお、図１（ｂ）では、便宜上、本装置の太陽光発電システムと自動点滅器とを省略している。
【００１２】
図１において、つる性植物の誘導装置１は、電柱６１の支線６２の近傍に設置されている。なお、支線６２には、支線６２の近傍のつる性植物５０が支線６２に巻き上がらないように、錐形状、円盤状または円筒状の巻き上がり防止装置６３が装着されている。巻き上がり防止装置６３は、つる性植物５０の巻き上がりを規制するものであって、支線６２の下端に向かう方向（下向き）に開口するとともに、支線６２の上端に向かう方向（上向き）には、電線を挿通できる程度に開口している。
【００１３】
誘導装置１は、支柱１１、光源１２、反射部材１３、太陽光発電システム１５および自動点滅器１６を備えている。
【００１４】
支柱１１は、図１に示すとおり、下端が地中に埋め込まれ、鉛直に立設するように固定されている。なお、誘導装置１が例えば山間部の急斜面に設置される場合には、支柱１１を敢えて鉛直に立設させる必要はない。  
支柱１１は、上端において光源１２と反射部材１３とを支持している。光源１２は、例えば、ＬＥＤ（発光ダイオード）であって球状を呈しており、後述する蓄電池１５ｂから電気エネルギーの供給を受けてほぼ全方向に光を放射する。
【００１５】
反射部材１３は、光源１２から放射された光の照射方向を規制するための部材であり、例えば、略錐形状ないし傘形状を呈している。反射部材１３には、図１（ａ）に示す内側面に沿って、図８（ｂ）のように反射面１３ｂが形成されている。反射面１３ｂは、光源１２からの光を反射するために設けられ、例えば、磨いたステンレス製板や反射率の高いポリエステルフィルムを内側面に沿って貼り付けることによって形成される。従って、光源１２から放射された光は、図８（ｂ）に示されるように反射面１３ｂで反射される結果、一定の方向に規制される。このようにして、光源１２から放射された光は指向性を持つようになる。
【００１６】
反射部材１３は、例えば、図８（ａ）に示されるように取付金具１７を介して支柱１１に取り付けられる。図８は、図１において模式的に記載された光源１２および反射部材１３の一例を示す図であって、図８（ａ）に示されるように、取付金具１７は、ストラップ１７ａ、回転軸１７ｂおよび略Ｃ字状部材１７ｃを含む。ストラップ１７ａは、取付金具１７を支柱１１の周回りに固定するための部材であり、回転軸１７ｂは、ストラップ１７ａに支持され、支柱１１の長手方向に直交する方向に延びる部材である。略Ｃ字状部材１７ｃは、両端からの距離がほぼ等しい位置（真ん中付近）で回転軸１７ｂに回転可能に支持されるとともに、反射部材１３が略Ｃ字状部材１７ｃの両端を結ぶ軸線の回りに回転するように反射部材１３を支持している。この軸線は回転軸と直交する方向であるから、反射部材１３は任意の向きを変えるができる。
【００１７】
また、支柱１１は、長手方向に伸縮する機構を有する。この伸縮機構は、例えば、図７に示されるように、第一の円筒状部材１１ａと、この第一の円筒状部材の内径より小さい外径を持つ第二の円筒状部材１１ｂと、これら第一および第二の円筒状部材を貫通するピン１１ｃとを備える。第二の円筒状部材１１ｂは、第一の円筒状部材１１ａの内側面に沿ってスライド可能である。また、第一の円筒状部材１１ａには、長手方向に沿って複数対の貫通孔１１ｄが穿孔され、第二の円筒状部材１１ｂには、一対の貫通孔１１ｅが設けられている。ピンは、第一の円筒状部材１１ａのいずれか一対の貫通孔１１ｄと、第二の円筒状部材１１ｂの一対の貫通孔１１ｅとを貫通することで、第二の円筒状部材１１ｂを第一の円筒状部材１１ａ上の所定の位置に固定する。従って、ピンを貫通させる第一の円筒状部材１１ａの一対の貫通孔１１ｄの位置（地面からの高さ）に応じて、第二の円筒状部材１１ｂが第一の円筒状部材１１ａから突出する長さが変わり、これにより支柱の長さが変わる。
【００１８】
光源１２および反射部材１３の上方には、取付部材を介して太陽光発電システム１５が取り付けられている。太陽光発電システム１５は、太陽光発電装置１５ａと蓄電池１５ｂとからなり、光源１２に電源を供給する。太陽光発電装置１５ａによって生成された電気エネルギーは蓄電池１５ｂに蓄えられ、このようにして蓄えられた電気エネルギーは、蓄電池１５ｂから光源１２に供給される。蓄電池１５ｂから光源１２への電気エネルギーの供給または供給停止は、太陽光発電システム１５の上部に設けられた自動点滅器１６によって判定される。自動点滅器１６は、周囲の明るさを検知して、検知した明るさを示す値が予め設定されている基準の明るさを示す値（基準値）を下回ると、蓄電池１５ｂから光源１２に通じるスイッチ（図示せず）をオンし、検知した明るさを示す値が上記基準値を上回ると、上記スイッチ（図示せず）をオフする切替装置である。つまり、自動点滅器１６は、周囲の明るさに応じて光源１２を点灯させたり消灯させたりする。よって、誘導装置１の周囲が基準とされる明るさより暗くなると（例えば、夕刻から夜明けにかけての時間帯）、光源１２は、蓄電池から電気エネルギーを供給されて発光する。また、誘導装置１の周囲が基準とされる明るさより明るくなると（例えば、夜明けから夕刻までの時間帯）、蓄電池から光源１２への電気エネルギーの供給は止まり、光源１２の発光も止まる。
【００１９】
なお、誘導装置１は、必要に応じて設置位置を変えることができる。つまり、誘導装置１は可搬型である。
【００２０】
＝＝＝使用方法＝＝＝  
以下、図２を参照して、本実施形態におけるつる性植物の誘導装置の使用方法について説明する。図２（ａ）および（ｂ）は、おのおの本実施形態におけるつる性植物の誘導装置の使用方法の一例を示す側面図および平面図であって、光源および反射部材は模式的に記載されている。なお、図２（ｂ）では、太陽光発電システムと自動点滅器は省略されている。
【００２１】
例えば昼間のように、誘導装置１の周囲が明るく、自動点滅器１６がオフの場合には、太陽光発電装置１５ａにより生成された電気エネルギーが蓄電池１５ｂに蓄えられる。一方、夜間のように、周囲が暗くなって一定の明るさを下回ると、自動点滅器１６がオンし、蓄電池に蓄えられた電気エネルギーが光源１２に供給される。その結果、光源１２が点灯し、反射部材１３によって集光されて、所定の範囲の地面およびつる性植物５０に照射される。
【００２２】
光源１２から照射される光の照射範囲は、支柱１１を長手方向に伸長および短縮させることによって、おのおの拡げられたり狭められたりする。例えば、図２（ａ）の実線で表された光源１２からの光が反射部材１３によって規制されて、所定の明るさ以上の光が同図（ｂ）の一点鎖線で示される範囲に照射される場合において、同図（ａ）の破線で表されたより低い位置にある光源１２からの光が反射部材１３によって規制されると、前者の明るさ以上の光が、同図（ｂ）の破線で示されるようなより狭い範囲に照射されることとなる。また、上述したとおり、反射部材１３は、互いに直交する回転軸１７ｂと軸線との回りに回転することができるから、反射部材１３の向きを変えることで光源１２からの光の照射方向を適宜変えることができる。なお、反射部材１３の向きを変えると、光源１２からの光の照射範囲も変わる。
【００２３】
なお、図２（ｂ）において一点鎖線および破線で示される範囲は、地面に照射される光の明るさが基準とする明るさ以上となる範囲を表し、誘導装置１が設置される場所の状況、例えば、平地か斜面かに応じて変わる。また、基準とする明るさとしては、例えば、つる性植物５０が誘導装置１の方に誘導されるのに足りると想定される光の明るさである。
【００２４】
従って、つる性植物５０の繁殖具合や支線６２への巻き上がりの様子を含む現場の状況に応じて、誘導装置１の設置場所や、光源１２からの光の照射方向および照射範囲を適宜変更することができる。例えば、比較的狭い範囲のつる性植物５０が支線６２に巻き付かないようにするためには、支柱１１を短縮させて光源１２の位置を低くするとともに、強い光がその範囲に集中的に照射されるように反射部材１３の向きを調節する。あるいは、複数の支線６２に関わるような比較的広範囲のつる性植物５０を本誘導装置１の方へ誘導しようとする場合には、光源１２の位置を高くすることによって光の照射範囲を拡げればよい。
【００２５】
[第２実施形態]  
以下、図３ないし図７を参照して、本実施形態におけるつる性植物の誘導装置について説明する。図３は、本実施形態におけるつる性植物の誘導装置を示す図であって、光源および反射部材は模式的に記載されている。なお、本実施形態におけるつる性植物の誘導装置は、誘導部材を備える点を除き、第１実施形態におけるつる性植物の誘導装置と同様の構成であるから、図１と同様な構成については、同一の符号を付し、その説明については省略する。従って、以下、誘導部材を中心に説明するが、図３に模式的に表された誘導部材２０は、図４ないし図６に例示された誘導部材２１〜２３の総称である。
【００２６】
＝＝＝構成＝＝＝  
誘導部材２０は、棒状の部材であって、つる性植物５０を巻き付けることで、つる性植物５０が支柱１１を巻き上がって光源１２を覆わないようにするための部材である。つる性植物５０が支柱１１を巻き上がって光源１２を覆うと、光源１２からの光は光源１２を覆ったつる性植物５０に遮られて、上述した照射範囲に照射される光の明るさが基準となる明るさを満たさなくなることがあるため、誘導部材２０を設けてつる性植物５０をこれに巻きつけるようにする。
【００２７】
誘導部材２０は、図３に示されるように、光源１２より低い位置において支柱１１に取り付けられ、支柱１１から遠ざかる方向に延びている。なお、本実施形態では、４つの誘導部材２０が支柱１１に取り付けられている。
【００２８】
図４において、誘導部材２１は、支柱１１の長手方向に直交する方向に延びている。図４において、４本の誘導部材２１は、２本で一対をなすように支柱１１への取付位置（高さ）が揃えられるとともに、互いに反対方向に延びているが、このように配置されていなくてもよい。たとえば、４本の誘導部材２１は、おのおの異なる取付位置（高さ）に取り付けられていてもよく、また、支柱１１の長手方向から見て十字状を呈するように、誘導部材２１Ａと２１Ｂ、２１Ｂと２１Ｃ、２１Ｃと２１Ｄ、および、２１Ｄと２１Ａのなす角がおのおの９０度になるように支柱１１に取り付けてもよい。また、誘導部材２１は、支柱１１から遠ざかるにつれて、支柱１１への取付位置から徐々に高くなるように延びていてもよい。４本の誘導部材２１は、おのおの長手方向（図４の矢印の方向）に伸縮する機構を有しており、各伸縮機構は、例えば、図７に示す支柱１１の伸縮機構と同様である。
【００２９】
また、図５に示される誘導部材２２は、支柱１１から遠ざかるにつれて、支柱１１への取付位置から徐々に高くなるように延びている。また、誘導部材２２は、４箇所において誘導部材２２の主枝２２ａから分岐する側枝２２ｂを有し、側枝２２ｂは、主枝２２ａから分岐するとともに、主枝２２ａが伸びる方向に傾いている。従って、図５の誘導部材２２は、木の枝のような形状を呈している。なお、図５の４本の誘導部材２２についても、おのおの異なる取付位置（高さ）に取り付けられていてよく、また、例えば、支柱１１の長手方向から見て十字状を呈するように配置されていてもよい。また、図５の誘導部材２２は、おのおの主枝２２ａの長手方向（図５の矢印の方向）に伸縮する機構を有し、各伸縮機構は、例えば、図７に示す支柱１１の伸縮機構と同様である。
【００３０】
図６に示される誘導部材２３は、支柱１１の軸方向と直交する方向に延びてから、略半円を描くように上方に湾曲している。つまり、図６の誘導部材２３の先端部は、湾曲部２３ａを形成している。なお、図６の４本の誘導部材２３についても、おのおの異なる取付位置（高さ）に取り付けられていてよく、また、例えば、支柱１１の長手方向から見て十字状を呈するように配置されていてもよい。また、図６の誘導部材２３は、おのおの支柱１１の軸方向と直交する方向（図６の矢印の方向）に伸縮する機構を有し、各伸縮機構は、例えば、図７に示す支柱１１の伸縮機構と同様である。
【００３１】
なお、図３ないし図６に示される誘導部材２０〜２３は、水平方向（支柱１１の長手方向に直交する方向）か、支柱１１から離れるにつれて支柱１１への取付位置から徐々に高くなるように延びているが、これは、つる性植物５０がより高い位置にある物へ巻き付こうとする性質を利用したものである。
【００３２】
＝＝＝使用方法＝＝＝  
以下、図３ないし図６を参照し、本実施形態におけるつる性植物の誘導装置の使用方法について、誘導部材の使用方法を中心に説明する。
【００３３】
図３において、つる性植物５０は、支線６２に巻き付くとともに、誘導装置１の支柱１１に巻き付いている。支柱１１に巻き付いたつる性植物５０は誘導部材２０にも巻き付くため、支柱１１を巻き上がろうとするつる性植物５０は、誘導部材２０に巻き付いた分だけ減る。誘導部材２０に巻き付いたつる性植物５０が再び支柱１１に巻き付くことがあり得るものの、つる性植物５０が光源１２を覆って光源１２からの光を遮光するに至るまでの時間は、誘導部材２０がない場合よりも長くなる。従って、誘導部材２０を支柱１１に取り付けることで、支柱１１に巻き上がったつる性植物５０を伐採する時間間隔をより長くすることができる。
【００３４】
誘導部材２０は、例えば支柱１１の伸縮機構と同様の伸縮機構を有している。したがって、つる性植物５０の支柱１１への巻き上がり具合が所定の巻き付き具合よりも多いか、多いと予想される場合には、つる性植物５０がより長いあいだ誘導部材２０に巻き付くように、誘導部材２０を伸長させることができる。従って、誘導部材２０を伸縮することによって、支柱１１に巻き上がったつる性植物５０を伐採する時間間隔を調節することができる。
【００３５】
なお、図４ないし図６に示される３種類の誘導部材２１〜２３は、図３の誘導部材２０と同様の役割を果たすから、上記ように図３の誘導部材２０と同様の方法で使用される。支柱１１に巻き上がるつる性植物５０の本数が多いか、多いと予想される場合には、より多くのつる性植物５０を誘導できるように、図５の誘導部材２２のようなつる性植物５０の巻き上がりの経路が多い誘導部材を用いるとよい。
【００３６】
前述したように、誘導装置１は、電柱６１の支線６２の近傍に設置されている。誘導装置１は、下端が地中に埋め込まれて、鉛直に立設するように固定される支柱１１を備えている。また、誘導装置１は、支柱１１に支持される光源１２を備えている。光源１２は、つる性植物５０を支柱１１の方へ誘導するように、光をつる性植物５０またはその近傍に照射する。光源１２から照射される光によってつる性植物５０は誘導装置１に誘導されて、支線６２に巻き上がるつる性植物５０は減少する。その結果、支線６２に巻き付いたつる性植物５０を伐採する時間間隔が長くなり、現場の見回りおよび伐採作業の時期の集中を避けることができる。従って、支線６２の状況の見回りおよびつる性植物５０の伐採の計画が立てやすくなり、よって、見回りの回数を減少させるとともに伐採作業を計画的かつ効率的に行うことが可能となる。
【００３７】
また、光源１２は、光源１２から放射された光を規制する反射部材１３を有する。反射部材１３は任意に向きを変えることができるから、反射部材１３の向きを変えることによって、光源１２からの光の照射方向および照射範囲の少なくとも一方を調節することができる。よって、狭い範囲のつる性植物５０に集中的に光を照射したり、比較的広範囲のつる性植物５０に広く光を照射したりすることができる。これにより、誘導装置１に誘導するつる性植物５０の多さ、さらには、現場の見回りや伐採作業の時間間隔を調節することができる。
【００３８】
また、支柱１１は、長手方向に伸縮する機構を有する。支柱１１を伸縮させることによって、支柱１１に巻きつけておくことができるつる性植物５０の多さを増やしたり減らしたりすることができる。また、支柱１１を伸縮させることにより、支柱１１に支持されている光源１２の高さが変わるから、光源１２から地面およびつる性植物５０に照射される光の強さと照射範囲も変わる。照射される光の強さと照射範囲が変わると、誘導装置１の方に誘導されるつる性植物５０の多さが変化する。従って、支柱１１に巻き付くつる性植物５０の多さを調節することができる。
【００３９】
また、誘導装置１は、支柱１１から遠ざかる方向に延びる誘導部材２０を更に備える。支柱１１を巻き上がってきたつる性植物５０を誘導部材２０の方に誘導することによって、支柱１１を巻き上がるつる性植物５０を減らすことができる。したがって、支柱１１に巻き付くつる性植物５０を伐採する時間間隔を長くすることができ、引いては現場の見回りおよび伐採作業の時間間隔を長くすることに資する。
【００４０】
また、誘導部材２０は、誘導部材２０が延びる方向に伸縮する機構を有する。誘導部材２０を伸縮させることにより、誘導部材２０に巻き付けておくことができるつる性植物５０の多さを増やしたり減らしたりすることができるから、支柱１１から誘導部材２０の方に誘導するつる性植物５０の多さ、さらには、現場の見回りおよび伐採作業の時間間隔を調節することに資する。
【００４１】
また、光源１２は、支柱１１の上端または上端の近傍に支持されている。従って、例えば光源１２が支柱１１の下端近傍に支持されている場合よりも、つる性植物５０が支柱１１を巻き上がって光源１２からの光を遮るまでの時間が長くなり、引いては現場の見回りおよび伐採作業の時間間隔を長くすることに資する。
【００４２】
また、誘導装置１は、太陽光発電装置１５ａと、太陽光発電装置１５ａによって発電された電気エネルギーを蓄えるとともに電気エネルギーを光源１２に供給する蓄電池１５ｂとを更に備える。従って、誘導装置１は、光源１２を点灯させるために外部電源を必要とせず、外部電源からの供給停止のおそれがない。よって、外部から独立して誘導装置１の運用を行うことができる。
【００４３】
また、自動点滅器１６を更に備える。自動点滅器１６は、蓄電池１５ｂによって蓄えられている電気エネルギーを光源１２に供給するか供給しないかを周囲の明るさに応じて切り替える切替装置に相当する。よって、自動点滅器１６を備えることによって、誘導装置１は、周囲の明るさに応じて光源１２を自動的に点灯させたり消灯させたりすることができる。
【００４４】
尚、上記第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００４５】
例えば、第１及び第２実施形態において、誘導装置１は、１本の支線６２の近傍に設置される必要はなく、２以上の電柱６１または支線６２に跨る領域に設置されても、電柱６１や支線６２以外の設備、例えば、金網フェンスの近傍に設置されてもよい。
【００４６】
また、光源１２は、球状である必要はない。例えば、面発光するＬＥＤのように板状の光源１２を用いてもよく、その場合には、反射部材１３を用いなくても指向性を有する光が得られる。光源１２はまた、支柱１１の上端または上端の近傍に支持される必要はない。光源１２はＬＥＤにより形成されている必要はなく、例えば、白熱電球や蛍光灯でもよい。
【００４７】
また、反射部材１３は、光源１２から放射された光を規制するものであれば、傘状や錐状を呈している必要はなく、例えば、１枚の板からなるものや、２枚以上の板を組み合わせたものであってもよい。
【００４８】
また、誘導部材２０の数は、支柱１１に巻き付くつる性植物５０を誘導するのに適していれば、４本に限られない。
【００４９】
また、自動点滅器１６の代わりに、時間に応じて光源１２をオン・オフさせる切替装置を用いてもよい。例えば、切替装置にタイマーを内蔵しておいて、あらかじめ設定しておいた時間（たとえば午後６時と午前６時）になると光源１２を点灯させたり消灯させたりし、あるいは、季節ごとに点灯と消灯の時間を設定しておいて、予め設定しておいた時間が到来すると点灯したり消灯したりするようにしてもよい。
【符号の説明】
【００５０】
１  誘導装置
１１  支柱
１２  光源
１３  反射部材
１５  太陽光発電システム
１６  自動点滅器
５０  つる性植物
６１  電柱
６２  支線
【図１】
2014225977.tif 000003
【図２】
2014225977.tif 000004
【図３】
2014225977.tif 000005
【図４】
2014225977.tif 000006
【図５】
2014225977.tif 000007
【図６】
2014225977.tif 000008
【図７】
2014225977.tif 000009
【図８】
2014225977.tif 000010